(57)【要約】【課題】  面記録密度が１５０Ｍｂｙｔｅｓ／ｃｍ２以上の高密度光ディスクに対し、再生信号が良質なバーコードマークを記録するバーコード記録装置及びバーコード記録方法を提供する。【解決手段】  光源に高出力青色半導体レーザ６ａを用い、光ディスクの記録面に光ディスク半径方向に伸びる線状のレーザスポット９を形成させ、光ディスク７の回転と同期するようにレーザをパルス発光させかつ、レーザスポット９をディスク半径方向に送るバーコード記録装置及びバーコード記録方法。【選択図】  図１
2007073122.tif 000002
【特許請求の範囲】
【請求項１】
半導体レーザから発するレーザ光をレーザスポットとして光ディスク記録面上に照射し、該光ディスクの回転角に同期をかけながらレーザ光の出力をパルス状に変化させると共にレーザスポットをディスク半径方向に送り螺旋状に移動させることにより、光ディスクの円周に沿ってマークを形成するバーコード記録装置であって、
前記半導体レーザが、波長（λ）を４００ｎｍ≦λ≦４１０ｎｍとし、且つ膜面レーザ出力（Ｐ）を１００ｍＷ≦Ｐ≦２Ｗとするレーザ光を発することを特徴とするバーコード記録装置。
【請求項２】
前記半導体レーザから発したレーザ光を集光し、光ディスク記録面上に線状のレーザスポットを形成させる対物レンズを備え、該レーザスポットの大きさが、長手方向の長さ（Ｌ）を１０μｍ≦Ｌ≦２５０μｍとし、短手方向の長さ（ｄ）を０．３μｍ≦ｄ≦３μｍとし、該レーザスポットの長手方向を光ディスクの円周方向と直交して配置することを特徴とする請求項１記載のバーコード記録装置。
【請求項３】
開口数（ＮＡ）が０．６≦ＮＡ≦０．８５の対物レンズと、バーコードを記録する記録層に対してレーザスポットの自動焦点制御を行う焦点制御手段とを備えたことを特徴とする請求項１又は請求項２記載のバーコード記録装置。
【請求項４】
半導体レーザから発するレーザ光をレーザスポットとして光ディスク記録面上に照射し、該光ディスクの回転角に同期をかけながらレーザ光の出力をパルス状に変化させると共にレーザスポットをディスク半径方向に送り螺旋状に移動させることにより、光ディスクの円周に沿ってマークを形成するバーコード記録装置のバーコード記録方法であって、
前記半導体レーザが、波長（λ）を４００ｎｍ≦λ≦４１０ｎｍとし、且つ膜面レーザ出力（Ｐ）を１００ｍＷ≦Ｐ≦２Ｗとするレーザ光を発しながらバーコード記録を行うことを特徴とするバーコード記録方法。
【請求項５】
前記半導体レーザから発したレーザ光を集光し、光ディスク記録面上に線状のレーザスポットを形成させる対物レンズを設け、該レーザスポットの大きさが、長手方向の長さ（Ｌ）を１０μｍ≦Ｌ≦２５０μｍとし、短手方向の長さ（ｄ）を０．３μｍ≦ｄ≦３μｍとし、該レーザスポットの長手方向を光ディスクの円周方向と直交して配置しながらバーコード記録を行うことを特徴とする請求項４記載のバーコード記録方法。
【請求項６】
開口数（ＮＡ）が０．６≦ＮＡ≦０．８５の対物レンズと、バーコードを記録する記録層に対してレーザスポットの自動焦点制御を行う焦点制御手段とを設け、該焦点制御手段が光ディスク記録面上に焦点合わせを行いながらバーコード記録を行うことを特徴とする請求項５又は６記載のバーコード記録方法。
【発明の詳細な説明】
【技術分野】
【０００１】
本発明は、著作権保護やコピー防止を目的としたバーコード状のマークをレーザ光の照射によって光ディスク面上に形成させるバーコード記録装置およびバーコード記録方法に関する。
【背景技術】
【０００２】
現在、一般普及しているＤＶＤメディアの一部は、光ディスク記録面上又は反射膜面上にコンテンツデータ（音楽／映像等）を含んでいるピット（マーク）とは全く異質なバーコード状の物理マークが記録されている。このバーコード状の物理マークは、光ディスクの内周側の周方向に配列されておりＢＣＡ（Ｂｕｒｓｔ  Ｃｕｔｔｉｎｇ  Ａｒｅａ）コードと呼ばれ、ディスク情報やディスクＩＤ等のユニークな情報を含むものである。
【０００３】
前記物理マークは、光ディスク製造過程の反射膜や記録膜等の積層膜を形成した後にレーザ光により形成し、ＢＣＡコード記録装置等の特殊な装置を用いて任意のマーク（データ）を記録するのため、ユーザが複製を行うことは非常に困難である。
他方、書替え可能なＤＶＤには、ＤＶＤ−ＲＡＭやＤＶＤ−ＲＷが製品化されており、これら記録媒体の記録材料には相変化材料が用いられ、該相変化材料（記録膜）にレーザを照射することによって結晶化状態を変化させ、この結晶化状態の変化による反射率の変化を利用して情報の記録再生が行われる。
【０００４】
この相変化型の光ディスクにマークを記録する方法および装置に関する技術が記載された文献としては、例えば下記特許文献１や特許文献２が挙げられ、これら文献には、半導体レーザによりバーコード状の物理マーク部とその他スペース部を結晶と非結晶（ａｓ−ｄｅｐｏ）により記録識別することが記載されている。
【０００５】
また、再生専用のＤＶＤにはＤＶＤ−ＲＯＭがあり、マークを記録する方法および装置に関する技術が記載された文献としては、例えば特許文献３や特許文献４が挙げられ、これら文献には、光ディスク製造工程のディスク貼合わせ工程以降にＹＡＧレーザ等の高出力レーザをディスク反射層に照射し反射層を溶融除去することによりバーコード状の物理マークを形成する技術が記載されている。また前記バーコードによるマーク部は、所定値を満たすように反射率を低く処理して形成され、実用化されているバーコード記録装置は、高出力が得られるように波長が８００ｎｍ以上の遠赤外レーザを光源とするのが一般的であった。
【特許文献１】特開２００４−１２７５１４号公報
【特許文献２】特開２００５−１６６０９６号公報
【特許文献３】特許第３１４４４２２号公報
【特許文献４】特開２００５−１１４３５号公報
【発明の開示】
【発明が解決しようとする課題】
【０００６】
近年、ＤＶＤの次世代メディアとしてφ１２０ｍｍ単層ディスクで１５ＧＢを超えるＨＤＤＶＤ（ｈｉｇｈ  ｄｅｎｓｉｔｙ  ｄｉｇｉｔａｌ  ｖｅｒｓａｔｉｌｅ  ｄｉｓｃ）やＢＤ（Ｂｌｕ−  ｒａｙ  ｄｉｓｃ：ブルーレイディスク）等の光ディスクが規格化され、一部製品化されている。これら光ディスクの記録密度は、１５０Ｍｂｙｔｅｓ／ｃｍ２を超え、両ディスク共に青色レーザ（波長４０５ｎｍ）を用いてデータの記録／再生を行うことが最大の特徴である。これら次世代メディアにおいても規格上、前述の従来のＤＶＤと同様にＢＣＡコードを付加する必要がある。
【０００７】
しかしながら、記録材料に有機色素等の波長依存性が高い材料、特に青色（波長４００ｎｍ帯）以外の波長ではほとんど反応しない材料で構成された追記型メディアも登場しつつあり、これまでの遠赤外（波長が８００ｎｍ以上）レーザを光源とするバーコード記録装置ではまったく記録できないか、または記録できたとしても所定値を満たす良質なＢＣＡマーク再生信号を得られないといった不具合があった。
【０００８】
特に記録層を２面もつ片面２層ディスクにおいては、遠赤外レーザを光源とするバーコード記録装置を用いてレーザ出力を比較的小さくした場合、バーコードを記録することができず、記録可能な程度にレーザ出力を上げた場合、記録目的層以外のもう一方の記録層へダメージを与えたり、記録材料が反応する前に反射層にダメージを与える可能性が生じると言う不具合もあった。
【０００９】
また遠赤外レーザを光源とするバーコード記録装置を用いて次世代メディアに対するバーコード記録ができた場合であっても、従来装置は、多大な投入エネルギ（レーザパワー）を要するため記録スポットの走査速度を遅くする必要があり、更には記録スポットの半径方向の送り速度も小さくする必要があり、このために記録時間が冗長になると言う不具合もあった。尚、前述の特許文献には、レーザを用いてマーク（ＢＣＡコード）を記録する旨が記載されているものの、例えばレーザ波長や光ディスク記録膜面上に形成させるレーザスポットサイズ等の具体的技術は開示されていないものである。
【００１０】
本発明の目的は、前述の従来技術による不具合を除去することであり、具体的には、記録密度が１５０Ｍｂｙｔｅｓ／ｃｍ２を超える次世代メディアに再生信号が良質なバーコードマークを記録することができるバーコード記録装置及びバーコード記録方法を提供することである。
【課題を解決するための手段】
【００１１】
前記目的を達成するため本発明は、半導体レーザから発するレーザ光をレーザスポットとして光ディスク記録面上に照射し、該光ディスクの回転角に同期をかけながらレーザ光の出力をパルス状に変化させると共にレーザスポットをディスク半径方向に送り螺旋状に移動させることにより、光ディスクの円周に沿ってマークを形成するバーコード記録装置において、前記半導体レーザが、波長（λ）を４００ｎｍ≦λ≦４１０ｎｍとし、且つ膜面レーザ出力（Ｐ）を１００ｍＷ≦Ｐ≦２Ｗとするレーザ光を発することを第１の特徴とする。
【００１２】
更に本発明は、前記第１の特徴のバーコード記録装置において、前記半導体レーザから発したレーザ光を集光し、光ディスク記録面上に線状のレーザスポットを形成させる対物レンズを備え、該レーザスポットの大きさが、長手方向の長さ（Ｌ）を１０μｍ≦Ｌ≦２５０μｍとし、短手方向の長さ（ｄ）を０．３μｍ≦ｄ≦３μｍとし、該レーザスポットの長手方向を光ディスクの円周方向と直交して配置することを第２の特徴とし、前記何れかの特徴のバーコード記録装置において、開口数（ＮＡ）が０．６≦ＮＡ≦０．８５の対物レンズと、バーコードを記録する記録層に対してレーザスポットの自動焦点制御を行う焦点制御手段とを備えたことを第３の特徴とする。
【００１３】
更に本発明は、半導体レーザから発するレーザ光をレーザスポットとして光ディスク記録面上に照射し、該光ディスクの回転角に同期をかけながらレーザ光の出力をパルス状に変化させると共にレーザスポットをディスク半径方向に送り螺旋状に移動させることにより、光ディスクの円周に沿ってマークを形成するバーコード記録装置のバーコード記録方法において、前記半導体レーザが、波長（λ）を４００ｎｍ≦λ≦４１０ｎｍとし、且つ膜面レーザ出力（Ｐ）を１００ｍＷ≦Ｐ≦２Ｗとするレーザ光を発しながらバーコード記録を行うことを第４の特徴とする。
【００１４】
前記第４の特徴のバーコード記録方法において、前記半導体レーザから発したレーザ光を集光し、光ディスク記録面上に線状のレーザスポットを形成させる対物レンズを設け、該レーザスポットの大きさが、長手方向の長さ（Ｌ）を１０ｕｍ≦Ｌ≦２５０ｕｍとし、短手方向の長さ（ｄ）を０．３ｕｍ≦ｄ≦３ｕｍとし、該レーザスポットの長手方向を光ディスクの円周方向と直交して配置しながらバーコード記録を行うことを第５の特徴とし、前記何れかの特徴のバーコード記録方法において、開口数（ＮＡ）が０．６≦ＮＡ≦０．８５の対物レンズと、バーコードを記録する記録層に対してレーザスポットの自動焦点制御を行う焦点制御手段とを設け、該焦点制御手段が光ディスク記録面上に焦点合わせを行いながらバーコード記録を行うことを第６の特徴とする。
【発明の効果】
【００１５】
本発明によるバーコード記録装置及び同方法によれば、前記半導体レーザが、波長（λ）を４００ｎｍ≦λ≦４１０ｎｍとし、且つ膜面レーザ出力（Ｐ）を１００ｍＷ≦Ｐ≦２Ｗとするレーザ光を発し、対物レンズが、０．６≦ＮＡ≦０．８５の開口数（ＮＡ）を有し、レーザスポットの長手方向の長さ（Ｌ）を１０μｍ≦Ｌ≦２５０μｍ、同短手方向の長さ（ｄ）を０．３μｍ≦ｄ≦３μｍとし、該レーザスポットの長手方向を光ディスクの円周方向と直交して配置することによって、記録密度が１５０Ｍｂｙｔｅｓ／ｃｍ２を超える次世代メディアに再生信号が良質なバーコードマークを記録することができる。
発明者らは、記録材料が有機色素で構成された次世代追記型メディアに対し、以下条件で良質なＢＣＡマークを形成できることを確認した。
開口数ＮＡ＝０．６、
レーザ波長（λ）＝４０８ｎｍ、
長手スポット幅＝１０μｍ、
膜面レーザ出力＝１００ｍＷ、
記録速度（走査速度）＝２〜６ｍ／ｓ
【発明を実施するための最良の形態】
【００１６】
以下、本発明の一実施形態によるバーコード記録装置及びバーコード記録方法を図面を参照して説明する。図１は初期化実行中の任意時間における初期化レーザスポットの配置を示したものであり２層光ディスク面に対し垂直方向からみた図、図２は本実施形態により光ディスクに記録したバーコードを説明するための図、図３は本発明の一実施形態によるバーコード記録装置を説明するための図、図４は光ディスクの記録膜面上に形成させた線状スポットの模式図、図５は本実施形態によるバーコード記録方法のタイムチャート図、図６は片面２層ディスクにレーザ光を入射させ記録層に焦点を合わせた模式図である。
【００１７】
＜前提説明＞
まず、本発明のバーコード記録の対象となる光ディスクについて説明する。本実施例が適用される光ディスクは、一面当たりの記録密度が１５０Ｍｂｙｔｅｓ／ｃｍ２を超え、波長（λ）が４０５ｎｍの青色レーザで記録再生が可能であり、図１に示す如く、基材１ａの上に第２の記録層２と、該第２の記録層２上に透明な中間層３をはさみこみ、更にその上に半透明状態の第１の記録層１と、記録層１の上には記録層１を保護するためのカバー層５（または基板５）とを備える、記録層を二面もつ片面２層光ディスク６である。
【００１８】
この片面２層光ディスク６は、片面から青色レーザ光４を照射することによって各記録層１又は２に記録された情報の再生が可能でありまた、各記録層１又は２へ情報を記録することも可能である。ディスクの形態としては追記型であり、記録材料は青色レーザ用としてチューニングされたもであれば良く、有機色素系でも無機系でもどちらでも良い。特徴としては、波長依存性が高く且つ波長が４０５ｎｍ帯のレーザ光でないと記録できないというものである。
【００１９】
また、本願出願で述べる「記録」とは、ドライブやレコーダでの記録マーク部と同様の状態を示し、レーザ光照射によって、有機色素材料であれば一般にいう色素を焼く状態（色素変化させる状態）であり、無機材料、特に相変化材料であれば、結晶化させる状態を示すものである。また本願出願で述べる「膜面レーザ出力」とは、光ディスクの記録層における照射されるレーザ出力の値を意味するものとする。
【００２０】
また、本願出願によるバーコード記録装置により記録した光ディスクは、図２に示す如く、光ディスク７の内周側に、ディスクの回転中心から放射上に延びるバーコード状に複数のマーク（バー及びスペースから成るキャラクタ）をディスク周方向９ａに沿ったバーコードマーク８、例えばＢＣＡコードを形成したものである。
【００２１】
＜バーコード記録装置の構成説明＞
次いで本実施形態によるバーコード記録装置の構成を説明する。本実施形態によるバーコード記録装置は、図３に示す如く、後述する波長（λ）且つ出力パワーを有するレーザ光を発する高出力青色半導体レーザ６ａと、該高出力青色半導体レーザ６ａから発せられたレーザ光を入射し、ディスク半径方向に向かって長い直線状のレーザスポット９を形成するための線状スポット形成光学系１０と、該線状スポット形成光学系１０が形成したレーザ光２８を強く絞り込むための対物レンズ７ｂと、２つの記録層１１と記録層１２とを分離して認識し、各記録層に対応したフォーカスサーボ信号を生成する二層分離認識光学系１３と、ディスク面振れに対し焦点ズレが生じないように対物レンズ７ｂを方向７ａに移動して焦点合わせ制御を行う二層フォーカス制御回路１４と、光ディスク２７を所定の回転数で方向７８（符号１５ａ）に回転駆動させるスピンドルモータ１５と、該モータ１５の回転に応じたディスクの回転角を検出するロータリエンコーダ１６と、該エンコーダ１６により検出した回転角を基に変調用クロック信号をディスクの回転角に同期して発生するクロック同期回路１７と、データバッファ１８に貯えられたバーコード記録用のバッファデータと変調用クロック信号を基にディスク面に記録するための信号３２を生成する変調回路１９と、前記半導体レーザ６ａを駆動するレーザドライバー回路２２と、ディスク記録層に集光したスポット９をディスク半径方向３６に移動させるキャリッジ２５と、フォーカス系／レーザ系／モータ系／キャリッジ系の各回路や装置全体動作をコントロールするマイクロプロセッサ（以下ＭＰＵ）２６とを備える。
【００２２】
＜光ヘッドおよび記録スポットの説明＞
前記光ヘッド２５ａに搭載する高出力青色半導体レーザ６ａは、出力波長（λ）が［４００ｎｍ≦λ≦４１０ｎｍ］の特性を持つ。この波長は、対応するドライブやレコーダと同じ波長４０５ｎｍと同一の波長とするのが最も好ましい。ドライブやレコーダと同じ波長であれば高効率で記録することができ、目標記録膜（層）以外の隣接する積層膜に過剰なエネルギを与え、悪影響を及ぼすことを軽減できる。
【００２３】
また高出力青色半導体レーザ６ａは、膜面レーザ出力が１００ｍＷ以上の出力特性を持つ。この理由は、効率良くバーコードを記録するためにディスク半径方向に１０μｍ以上の長さを持つ線状スポットが必要であり、この線状スポットを形成した際、記録レ−ザ出力密度から算出すると、膜面レーザ出力が１００ｍＷ以上の出力を持たせるのが実用的なためである。実機における高出力青色半導体レーザ６ａの出力値は、出力２００ｍＷ以上が好ましい。出力の上限値は、線状スポットの長手方向の長さ上限（後述）から算出して膜面レーザ出力が２Ｗとするのが望ましい。このため本発明での膜面レーザ出力範囲は、１００ｍＷ≦Ｐ≦２Ｗが好ましい。
【００２４】
前記対物レンズ７ｂは、高出力青色半導体レーザ６ａより出力したレーザ光を線状スポット形成光学系１０を通して光ディスクの記録膜上に線状のレーザスポット９として強く絞り込むため、開口数（ＮＡ）が０．６≦ＮＡ≦０．８５の特性が好ましい。
【００２５】
この開口数（ＮＡ）が０．６≦ＮＡ≦０．８５の高ＮＡをもつ対物レンズ７ｂを使用する理由について、図４を参照して説明する。
図４は光ディスク２７の記録膜上に形成させた線状スポットの模式図であり、光ディスクを面方向、すなわちレーザ光入射方向から見た図である。
【００２６】
本実施形態における線状スポットは、図４に示す如く、光ディスク２７を回転符号１５ａ方向に回転させながら、線状スポット４５（９）を光ディスクに対して相対的に走査速度５０で走査させるため、線状スポット４５の長手方向５１を光ディスクの回転中心から半方向に伸びる直線上４８、即ち光ディスク２７の円周方向４９と直交させる方向に配置させるのがバーコードを記録する上で最も効率が良いことが知られている。
【００２７】
本例における線状スポットは、線状スポットの長手方向の長さ（半値幅：Ｌ）を１０μｍ≦Ｌ≦２５０μｍとし、短手方向の長さ（半値幅：ｄ）を０．３μｍ≦ｄ≦３μｍと設定した。前記長手方向５１は、焦点深度とディスクの機械特性、特にラジアルチルト量との兼合いから２５０μｍを上限値とするのが好ましく、下限は実用性を考慮して１０μｍ以上とするのが好ましい。
【００２８】
また、線状スポットの短手方向の長さ（ｄ）は、レーザスポットの走査速度５０と記録状態の品質の関係から、０．３ｕｍ≦ｄ≦３ｕｍとするのが好ましい。更に長手方向のレーザ出強度分布は、頂点がほぼ平らな台形状４６とすることにより、半径方向に均一なマークを記録する上で有効である。短手方向のレーザ強度分布は、特に規定することはないが、ガウシアン分布４７に近い形状が望ましい。
【００２９】
本実施形態における線状スポットの長手方向の長さ（Ｌ）と長手方向のレーザ出強度分布４６、短手方向の長さ（ｄ）と短手方向のレーザ強度分布（ガウシアン分布）４７は、高出力青色半導体レーザ６ａと線状スポット形成光学系１０と対物レンズ７ｂによって、自由に設定することができ、前記線状スポットの形状を形成するために、対物レンズ７ｂは、レーザ光を記録膜上に線状のレーザスポット９として強く絞り込むため、開口数（ＮＡ）が０．６≦ＮＡ≦０．８５の特性が好ましい。
【００３０】
＜動作説明＞
本実施形態によるバーコード記録装置の動作を、図３及び図５を主に参照して説明する。
本実施形態によるバーコード記録装置は、バーコード記録対象の光ディスク３をスピンドルモータ１５に搭載した状態で、後、ＭＰＵ２６に予め設定されたプログラミングにより自動的にバーコードの記録を行うものであって、この動作は、まず、スピンドルモータ１５が、モータドライバー回路（図示なし）の指示によりディスク２７を所定の回転数で回転させる。この場合の回転方式は、ＣＬＶ（ｃｏｎｓｔａｎｔ  ｌｉｎｅａｒ  ｖｅｌｏｃｉｔｙ）回転でもＣＡＶ（Ｃｏｎｓｔａｎｔ  ａｎｇｕｌａｒ  ｖｅｌｏｃｉｔｙ）回転でもどちらでもよい。次にＭＰＵ２６が、キャリッジ２５を光ディスク２７上のバーコード記録半径位置に移動させ、記録を行わないレベル（出力値）のボトムパワー２９によりレーザ６ａを発光させ、二層フォーカス制御回路１４によりバーコードの記録層にオートフォーカス制御をかける。
【００３１】
次いで本装置は、ＭＰＵ２６が、バーコード記録用のバーコードデータをデータバッファ１８に出力し、該データバッファ１８から出力したシリアルバファデータ３０を変調回路１９において変調用クロック信号３１により同期をとってディスク回転に同期させた信号３２を生成すると共に、レーザドライバー回路２２に送信し、該レーザドライバー回路２２が、信号３２を増幅して高出力青色半導体レーザ６ａに出力指示を行うことにより、高出力青色半導体レーザ６ａが、信号３２と同タイミングでパルス発光するレーザ出力３３の照射を開始する。
【００３２】
このレーザ出力３３は、図５に示す如く、出力を行うレーザ光のトップパワー３４が、ディスク記録層が光学的に変化しマーク部３７を形成できる出力以上の値に設定し、ボトムパワー２９が光学的変化しない出力に設定されている。特にボトムパワー２９は、フォーカスが外れない程度まで減少させるのが好ましい。
【００３３】
この様に本実施形態によるバーコード記録装置は、光ディスクの回転に同期し且つ、ディスクの１回転毎に同じパルスレーザを出力３３しながらレーザスポット４０をキャリッジ２５により記録隙間ができない所定の送りピッチ３５で半径方向３６に送ることによって、半径方向に所定の長さのバーコード３９を記録することができる。
【００３４】
このバーコードに対する記録データ３８は、図５の最下部に示す如く、例えば「・・０１００１１・・」の数字であり、記録したマーク部３７の反射率が低く、他のディスク面と反射率が充分に異なるために、一般の光ディスクドライブ装置等にて再生認識を行うことができる。
【００３５】
本実施形態によるバーコード記録装置は、ディスク回転数とスポット半径位置によって決まるスポットの走査速度（Ｖ）５０と、ディスク１回転当たりの半径方向送り（Ｄ）３５と、レーザ出力（トップパワーＰ）３４はＭＰＵ２６より上位のパーソナルコンピュータ等により任意に設定することができる。前記走査速度（Ｖ）５０は、例えば（２ｍ／ｓ）≦Ｖ≦（１２ｍ／ｓ）、ディスク１回転当たりの半径方向送り（Ｄ）３５は、例えば２ｕｍ／ｒ≦Ｄ≦（長手スポット幅）ｕｍ／ｒ、膜面レーザ出力（トップパワーＰ）３４は、例えば１００ｍＷ≦Ｖ≦２Ｗに設定するのが実用的な範囲であり、これにより記録層ごとに斑なくかつ、バーコード再生波形が所定値を満足する、更には記録時間が短い最もバランスのとれた条件を選定することができる。
【００３６】
＜焦点合わせの説明＞
次いで本装置によるレーザスポットの焦点合わせについて図６を参照して説明する。図６は片面２層ディスクの各記録層に焦点を合わせた模式図である。
【００３７】
本実施形態によるバーコード記録装置は、前述した構成及び動作により図６に示す如く光ディスクのバーコード記録する記録層５９又は６０に焦点位置６１を合わせることができ、ディスクの回転による面振れやその他外乱に対しても記録膜に形成したレーザスポット形状が変わることはなく、常時、記録層にて所定レーザパワー密度のレーザスポットを確保することができる。
【００３８】
更に本例によるバーコード記録装置は、高ＮＡの対物レンズ５８を用いることにより、ｎを保護層または中間層の屈折率、θを記録面と直交する法線と入射光線がなす角度としたとき、該入射角θ［θ＝ｓｉｎ−１（ＮＡ／ｎ）］を大きくとることができる。即ち、図６に示す光軸方向６２に対しレーザスポットの面積変化が大きく、逆に合焦点位置６１から僅かにずれた位置においてはレーザのパワー密度を激減することができる。
【００３９】
従って本実施形態は、バーコード記録対象の記録層に焦点を合わせ記録しているとき、近接するもう一方の記録層まで同時に記録することがなく、目的とする記録層のみバーコード記録６３を行うことができ、両記録層に別々に異なったバーコードデータを記録することができる。また、一方の記録層にバーコード記録した後にフォーカスジャンプによりもう一方の記録層に焦点を移し、連続して異なったデータのバーコードを記録することもできる。
【００４０】
尚、前述の実施形態においては片面二層ディスクに関して説明したが、本発明は二層に限定することなく三層以上の片面多層ディスクでも同様の効果を得ることができる。当然、単層ディスクであってもまったく問題はなく同様の効果を得ることができる。また前記実施形態ではディスク内周部でのバーコード記録を示したが、ディスクの内周部に限ることなく、中周や外周にバーコードを設けても良い。更に前実施形態では、強いレーザ光（トップパワー）を照射してマーク部を低反射率にする例を説明したが、本発明は、これに限られるものではなく、ディスク周方向に羅列するマークとマークの間、すなわちスペース部に強いレーザ光（トップパワー）を照射し、スペース部の反射率を下げる構成であっても良い。
【００４１】
また前記実施形態では、強いレーザ光（トップパワー）を照射すると反射率が低下する記録特性をもつ光ディスク（ｈｉｇｈ  ｔｏ  Ｌｏｗ）を対象とする例を説明したが、本発明は、これに限られるものではなく、強いレーザ光（トップパワー）を照射すると反射率が増加する記録特性をもつ光ディスク（Ｌｏｗ  ｔｏ  ｈｉｇｈ）を記録対象とすることもできる。即ち、前述の実施形態において、スペース部に強いレーザ光（トップパワー）を照射することにより、スペース部の反射率を上げることができ、再生信号として、ｈｉｇｈ  ｔｏ  Ｌｏｗディスクのマーク部に強いレーザ光を照射し記録した場合と、同極性の信号を得ることができる。
【００４２】
この様に本実施形態によるバーコード記録装置は、一般に光ディスクに用いられている銀合金やアルミ合金等の反射層材料が青色帯（波長：４００ｎｍ帯）での吸収率が増加するため、反射層を溶融除去するＲＯＭタイプのバーコード（ＢＣＡコード）記録にも有効である。また記録密度が１５０Ｍｂｙｔｅｓ／ｃｍ２を超える次世代メディアに再生信号が良質なバーコードマークを記録することができる。
【図面の簡単な説明】
【００４３】
【図１】初期化実行中の任意時間における初期化レーザスポットの配置を示す図。
【図２】本実施形態により光ディスクに記録したバーコードを説明するための図。
【図３】本発明の一実施形態によるバーコード記録装置を説明するための図。
【図４】光ディスクの記録膜面上に形成させた線状スポットの模式図。
【図５】本実施形態によるバーコード記録方法のタイムチャート図。
【図６】面２層ディスクにレーザ光を入射させ記録層に焦点を合わせた模式図。
【符号の説明】
【００４４】
１：記録層、２：記録層、３：中間層、４：青色レーザ光、５：カバー層、６：層光ディスク、６ａ：高出力青色半導体レーザ、７：光ディスク、７ｂ：対物レンズ、８：バーコードマーク、９：レーザスポット、９ａ：ディスク周方向、１０：線状スポット形成光学系、１１：記録層、１２：記録層、１３：二層分離認識光学系、１４：二層フォーカス制御回路、１５：スピンドルモータ、１６：ロータリエンコーダ、１７：クロック同期回路、１８：データバッファ、１９：変調回路、２２：レーザドライバー回路、２５：キャリッジ、２５ａ：光ヘッド、２７：光ディスク、２８：レーザ光、２９：ボトムパワー、３０：シリアルバファデータ、３１：変調用クロック信号、３２：信号、３３：レーザ出力、３４：トップパワー、３５：ピッチ、３６：ディスク半径方向、３７：マーク部、３８：記録データ、３９：バーコード、４０：レーザスポット、４５：線状スポット、４６：台形状、４６：レーザ出強度分布、４７：ガウシアン分布、４８：直線上、４９：円周方向、５０：走査速度、５１：長手方向、５８：対物レンズ、５９：記録層、６１：焦点位置、６１：合焦点位置、６２：光軸方向、６３：バーコード記録。
【図１】
2007073122.tif 000003
【図２】
2007073122.tif 000004
【図３】
2007073122.tif 000005
【図４】
2007073122.tif 000006
【図５】
2007073122.tif 000007
【図６】
2007073122.tif 000008